【事件の表示】
　特願２００４−　１７２８３「時計」拒絶査定不服審判事件〔平成１６年　５月１３日出願公開、特開２００４−１３８６２５〕について、次のとおり審決する。
【結　論】
　本件審判の請求は、成り立たない。
【理　由】
１．手続の経緯・本願発明 
　本願は、平成４年４月６日に出願した特願平４−８４０１３号の一部を平成１６年１月２６日に新たな特許出願としたものであって、その請求項１及び２に係る発明は、平成１６年６月２１日付け手続補正書、平成１６年１０月１８日付け手続補正書及び平成１７年１１月１１日付け手続補正書によって補正された明細書及び図面の記載からみて、その特許請求の範囲の請求項１及び２に記載されたとおりものであると認められるところ、その請求項１に係る発明（以下、「本願第１発明」という。）は次のとおりのものである。 
　「【請求項１】案内付きストレートの下穴と外周段部とが設けられた時計用ネジ受けが、時計用地板にアセンブルされ、前記時計用地板に積層される他の部品は、前記部品に設けられた穴で位置出しされて組み込まれるとともに、前記部品に設けられた挿通穴に前記時計用ネジ受けが挿通されて組み込まれた後、セルフタッピングネジが前記下穴にねじこまれて、前記他の部品が前記セルフタッピングネジと前記時計用地板との間に固定される時計であって、前記セルフタッピングネジによりメネジ部が成形される前記時計用ネジ受外周部と前記部品との間に隙間が設けられていることを特徴とする時計。」
　
２．引用例
　（１）当審における拒絶理由に引用された原出願の出願前に頒布された刊行物である特開昭６０−６６１７８号公報（以下、「引用例１」という。）には、図面と共に以下の事項が記載されている。
　　ア．「本発明は、・・・小型電池時計に適した回路ブロックとコイルブロックの導通構造に関するものである。」（１頁左下欄１４〜１７行）
　　イ．「従来の構造は、第１図、第３図に断面図を示し第２図に第１図の平面図を示すとおりである。第１図において、駆動コイル９の端末は、磁心４に接着されたポリイミド或いはガラス繊維入エポキシ基板の絶縁層と、パターン形成された銅箔層より成り、銅箔面６ａを磁心４と反対側に持つコイルリード基板６に圧着されている。磁心４は地板１に植立された固定ピン２により案内されステータ３と接触している。周知のＭＯＳ−ＩＣ、水晶ユニットを保持する可撓性を持つポリイミドテープ、ガラス繊維入エポキシ基板等の絶縁層と、パターン形成された銅箔層から成る回路基板７も、地板１に植立された固定ピン２により案内され、銅箔７ａを地板側に向けている。コイルリード基板６の導通部銅箔６ａの出力部は直接接触するよう設定され、回路基板押え８を介して固定ねじ１０により固定ピン２に固定され、圧接により導通する。」（１頁左下欄下から１行〜右下欄１７行）
　　ウ．「第４図、・・・は本発明による構造の実施例を示す断面図であり、第５図は第４図の平面図である。第４図の実施例において、地板１に植立されたピン２にステータ３、磁心４は案内され、回路基板側に銅箔６ａを圧着したコイルリード基板６は磁心４に接着されており、銅箔６ａにはコイル９の巻線の端末処理を施してある。導通部材である導通ピン１２を、絶縁部材であるプラスチック等で覆ったスペーサー１１は、回路基板７とコイルリード基板６の間に、地板１に植立されたピン２に案内される。この回路基板はポリイミド或いはガラス繊維入エポキシ基板の磁心側に銅箔７ａを圧着したものである。周知のＭＯＳ−ＩＣ、水晶ユニットを実装した回路基板７とその上部に位置する回路基板押え８は、地板１に植立されたピン２に案内される。回路基板７とコイルリード基板６は、ねじ１０によって導通ピン１２に圧接し導通する。スペーサー１１は他の部品に接着されずに投げ込み方式で組み入れる。ねじ１０による締め付け力は、回路基板押え８、回路基板７を通して導通ピン１２コイルリード基板６へと加わる。」（２頁左下欄６行〜同右下欄７行）
　　エ．図面の第１図及び第４図には、いずれも、固定ピン２の、地板１と反対側のねじ穴の開口部には、傾斜案内面が描かれている。そして、固定ピン２の、地板１側には外周に段部が描かれており、地板１には、固定ピン２の外周の段部が挿入されて描かれている。また、断面図である第１図及び第４図には、固定ピン２の左右の外周には、地板１とねじ１０との間に、磁心４、ステータ３、回路基板７等が積層されて描かれており、平面図である第２図及び第５図には、磁心４、ステータ３、回路基板７等がねじ１０の周囲を囲んで描かれている。
　
　したがって、上記記載事項ア〜エからみて、引用例１には、第１、２図及び第４、５図に示された構造に関して、次の発明（以下、「引用発明」という。）が記載されているものと認める。 
 「案内付きのねじ穴と外周段部とが設けられた固定ピン２が、地板１にアセンブルされ、磁心４、ステータ３、回路基板７等が前記固定ピン２に案内されて積層された状態でねじ１０が前記ねじ穴にねじこまれて、前記磁心４、ステータ３、回路基板７等が前記ねじ１０と前記地板１との間に固定される小型電池時計。」 
　
　（２）同じく引用された原出願の出願前に頒布された刊行物である実願昭５６−７７９８８号（実開昭５７−１９０４８９号）のマイクロフィルム（以下、「引用例２」という。）には、時計のネジ止め構造に関して、図面と共に以下の事項が記載されている。
　　ア．「第１図において、１はネジで・・・このネジはタッピングネジである。・・・木枠３には穴３ａがある。・・・ここでネジ１のネジ径Ａと木枠３の穴３ａの径Ｂの関係はおおむねＡ：Ｂ＝１：０．８となっており・・・適正値とされている。第２図は第１図の状態でネジ１を締めて被固定部材２を３の木枠に固定した状態を示す。」（明細書２頁１９行〜３頁９行）
　
　（３）同じく引用された原出願の出願前に頒布された刊行物である実公昭４７−１６１６５号公報（以下、「引用例３」という。）には、図面と共に以下の事項が記載されている。
　　ア．「８は時計等の合成樹脂枠、９は裏蓋である。本体１を合成樹脂枠８にインサートすると・・・枠８内に安定保持される。第３図示の如く裏蓋９をかぶせてねじタップ５を矢印方向に押圧回転すれば、テーパ孔４内でテーパ壁７に沿いつつ容易に雌ねじが切削され本体１とねじタップ５が螺合し、裏蓋を枠に取り付けることができる。」（第２欄７〜１６行）
　
　（４）同じく引用された原出願の出願前に頒布された刊行物である実願昭４９−１１３６５８号（実開昭５１−４０３６７号）のマイクロフィルム（以下、「引用例４」という。）には、時計部品固定構造に関して、図面と共に以下の事項が記載されている。
　ア．「基板１の穴にプラスチック製のパイプ６が挿入され、パイプ穴６ａにネジ７をねじ立てしながら締め付けて押さえバネ４を固定する。」（明細書２頁１１〜１３行）
　
　（５）同じく引用された原出願の出願前に頒布された刊行物である特開平２−１４２９１０号公報（以下、「引用例５」という。）には、タッピンねじ、タップ母材下穴およびインサートに関して、図面と共に以下の事項が記載されている。
　　ア．「タッピンねじをねじ込むタップ母材の下穴は、たとえば第７図に示すように、均一な直径ｄ１を有するものである。」（２頁右上欄７〜９行）
　
　（６）同じく引用された原出願の出願前に頒布された刊行物である特開昭５０−３５５６３号公報（以下、「引用例６」という。）には、合成樹脂用ネジに関して、図面と共に以下の事項が記載されている。
　　ア．「合成樹脂部材１に下穴２を設け被固定部材３に設けた穴６よりタッピンネジ５を下穴２にねじ込み固定していた。このとき下穴２の穴径をＤ、タッピンネジ５の外径をｄ、軸径をｄ１とすると、ｄ＞Ｄ＞ｄ１の関係にあり、このため合成樹脂部材１の下穴２にネジ溝を新しく刻設することになる。」（１頁左下欄下から４行〜右下欄３行）
　
３．対比
　本願第１発明と上記引用発明とを対比する。
　（１）引用発明の「外周段部」、「固定ピン２」、「地板１」、「磁心４、ステータ３、回路基板７等」、「小型電池時計」は、それぞれ、本願第１発明の「外周段部」、「時計用ネジ受け」、「時計用地板」、「他の部品」、「時計」に相当する。
　（２）そして、本願第１発明の「案内付きのストレートの下穴」も、引用発明の「案内付きねじ穴」も、共に「案内付きの穴」であり、また、本願第１発明の「セルフタッピングネジ」も、引用発明の「ねじ１０」も、共に「雄ねじ」である。 
　（３）引用発明の磁心４、ステータ３、回路基板７等は、固定ピン２に案内されて積層されるものであって、図面の断面図第１、４図及び平面図第２、５図に描かれた磁心４、ステータ３、回路基板７等と固定ピン２（あるいはねじ１０）との相互配置からみて、案内は、固定ピン２に挿入される挿入穴で案内されるものであることが明らかであり、さらに、案内されるということは位置出しされて組み込まれ積層されるものであることに他ならない。また、地板１とねじ１０との間に磁心４、ステータ３、回路基板７等が固定される構造であるから、磁心４、ステータ３、回路基板７等を組み込まれた後、ねじ１０がねじこまれるものであることも明らかである。
　以上（１）〜（３）の考察より、両者は、次の一致点で一致し、相違点１及び２で相違する。 
　【一致点】 
　「案内付きの穴と外周段部とが設けられた時計用ネジ受けが、時計用地板にアセンブルされ、前記時計用地板に積層される他の部品は、前記部品に設けられた穴で位置出しされて組み込まれるとともに、前記部品に設けられた挿通穴に前記時計用ネジ受けが挿通されて組み込まれた後、雄ねじが前記案内付きの穴にねじこまれて、前記他の部品が前記雄ねじと前記時計用地板との間に固定される時計」
　【相違点】 
　相違点１：本願第１発明では、雄ネジが「セルフタッピングネジ」であり、案内付きの穴が「ストレートの下穴」であるのに対し、引用発明では、雄ネジはセルフタッピングネジでなく、案内付きの穴はねじ穴である点。
　相違点２：本願第1発明では、時計用ネジ受外周部と他の部品との間に隙間が設けられているのに対し、引用発明では、隙間が設けられているかどうか不明な点。
　
４．判断
　上記相違点について検討する。 
　相違点１については、セルフタッピングネジと下穴とによる締結手段は、ネジによる締結手段の一つとして広く用いられており、時計の組立構造の技術分野においても、時計部品の締結手段として、例えば引用例２〜４にみられるごとく周知技術であり、また、セルフタッピングネジがねじ込まれる下穴をストレートとすることも、例えば引用例２、５、６にみられるごとく周知技術である。したがって、引用発明における雄ネジとねじ穴による締結手段に代えて上記周知の締結手段を適用して本願第１発明のごとく構成することは当業者が容易になし得たものである。
　次に、相違点２については、時計の組立構造の技術分野において、時計用ネジ受け外周部と他の部品との間に隙間を設けることは、例えば、実願昭６１−８７２７号（実開昭６２−１２１５８９号）のマイクロフィルム（第５図従来のネジ締め構造を示す断面図の、ネジ支柱２２と、輪列受２８及び回路基板２７及びコイルリード板２６及びコイル芯２４板状ステータ２３との隙間参照）、実願昭５６−９５５２５号（実開昭５８−１１８５号）のマイクロフィルム（第２図断面図の、内側にめねじが形成されるエンボス８ａとステータ２との隙間参照）にみられるごとく周知技術であり、隙間が有ればセルフタッピングネジによりメネジ部が成形される際にネジ受けの開口部が拡径しても他の部品に影響がないことも技術常識（例えば、実願昭５０−１３３２０９号（実開昭５２−４６７６３号）のマイクロフィルム（そこには時計などの地板に関して、「柱３１の中空部３３は、タップネジなどの締着ネジ４０が螺入可能のものである。・・・締着ネジ４０を透孔１１の外方より螺入させ、下板３０の柱３１の中空部３３上端部にも螺入して締め付ける。この場合螺着ネジ４０が中空部３３に螺入するため柱３１が膨張することがあっても空隙Ｖのため問題はない。」（明細書３頁６〜１６行）と記載されている。）である。したがって、引用発明に上記周知技術の間隙を適用して本願第１発明のごとく構成することは当業者が容易になし得たものである。
　そして、本願第１発明の奏する効果についても、引用発明及び上記周知技術に基づいて当業者が予測可能な範囲内のものにすぎない。
　
５．むすび
　以上のとおりであるから、本願第１発明は、引用発明及び上記周知技術に基づいて当業者が容易に発明をすることができたものであり、特許法第２９条第２項の規定により特許を受けることができない。
　そして、本願第１発明が特許を受けることができないものであるから、その余の請求項２に係る発明について検討するまでもなく、本願は拒絶されるべきものである。
　よって、結論のとおり審決する。